(57)【要約】【目的】家庭用テレビの画面上においてインターネットを介して自動的に蓄積された情報を簡単に観ることができる情報閲覧システムを得る。【解決手段】各種情報を管理して発信する情報発信センターと、インターネットを介して前記管情報発信センターで管理される各種情報からユーザーが選択した選択情報を一定時間毎に自動的に入手し記録する情報提供装置と、該情報提供装置に接続され前記情報提供装置から得た選択情報を表示する家庭用テレビとを有して成る情報閲覧システムであって、前記家庭用テレビの外部入力若しくは空チャンネルを使用することでテレビ画面において前記情報提供装置に記録蓄積された選択情報を閲覧可能とする。【選択図】      図１
2006115093.tif 000002
【特許請求の範囲】
【請求項１】
各種情報を管理して発信する情報発信センターと、インターネットを介して前記情報発信センターで管理される各種情報からユーザーが選択した選択情報を一定時間毎に入手し記録する情報提供装置と、該情報提供装置に接続され前記情報提供装置から得た選択情報を表示する家庭用テレビとを有して成り、
前記家庭用テレビの外部入力若しくは空チャンネルを使用することでテレビ画面において前記情報提供装置に記録された選択情報を閲覧する
ことを特徴とする情報閲覧システム。                                     
【請求項２】
インターネットを介して得た情報を家庭用テレビで閲覧可能にする情報提供装置であって、
インターネットに接続可能な回線と、家庭用テレビへ画像及び音声信号を出力可能な出力線をそれぞれ有し、
前記インターネットを介した情報供給元より供給可能な各種情報の中からユーザーが必要な選択情報を選択し、一定時間毎に前記インターネットに接続して情報供給元より前記選択情報に関する新情報を入手する情報入手処理手段と、
入手した新情報を記録する情報記録部とを具備することを特徴とする情報提供装置。
【発明の詳細な説明】
【技術分野】
【０００１】
本発明は、インターネットを介して各種情報を入手し、家庭用テレビで閲覧可能にする情報閲覧システム、及び、インターネットを介して情報を入手して家庭用テレビへ出力するための情報提供装置に関し、特に限られた一定地域内で情報を共有する場合に適したシステムに関する。
【背景技術】
【０００２】
近年、インターネットは各家庭においても急速に普及している。インターネットで情報を得る場合、パソコンを立ち上げ後にインターネットに接続し、検索エンジン等を使用することで種々の情報が提供されるサイトに接続し、所望の情報を得ることが行われている。
【発明の開示】
【発明が解決しようとする課題】
【０００３】
しかしながら、上述した情報取得のシステムによれば、一連のコンピュータの操作が必要となり、この操作は高齢者にとっては煩雑であり、また、思うような情報が得られない場合も少なくなかった。
特に、限られた一定の地域内で発生する生活に密着するような情報は、高齢者が必要とする場合が多く、高齢者が簡単な操作でインターネットを介して容易に情報を享受できるシステムの構築が望まれていた。
【０００４】
また、情報の種類、例えば「お悔やみ」情報等は、ユーザー側のアクセスなしに提供するのが適している。上述のような検索システムによれば、ユーザー側でどのような情報を検索したいのかの検索作業が必要であり、ユーザーが必要な情報を受動的に得る情報閲覧システムは存在しなかった。
【０００５】
本発明は、本発明は上記実情に鑑みてなされたもので、家庭用テレビの画面上においてインターネットを介して自動的に蓄積された情報を簡単に観ることができる情報閲覧システム、及びそれに使用する情報供給装置を提供することを目的とする。
【課題を解決するための手段】
【０００６】
上記目的を達成するため情報閲覧システムは、各種情報を管理して発信する情報発信センターと、インターネットを介して前記管情報発信センターで管理される各種情報からユーザーが選択した選択情報を一定時間毎に自動的に入手し記録する情報提供装置と、該情報提供装置に接続され前記情報提供装置から得た選択情報を表示する家庭用テレビとを有して成り、前記家庭用テレビの外部入力若しくは空チャンネルを使用することでテレビ画面において前記情報提供装置に記録蓄積された選択情報を閲覧することを特徴としている。
【０００７】
請求項２は、インターネットを介して得た情報を家庭用テレビで閲覧可能にする情報提供装置であって、インターネットに接続可能な回線と、家庭用テレビへ画像及び音声信号を出力可能な出力線をそれぞれ有し、前記インターネットを介した情報供給元より供給可能な各種情報の中からユーザーが必要な選択情報を選択し、一定時間毎に前記インターネットに接続して情報供給元より前記選択情報に関する新情報を入手する情報入手処理手段と、入手した新情報を記録する情報記録部とを具備することを特徴としている。
【発明の効果】
【０００８】
本発明によれば、インターネットを介して順次情報が情報供給装置に蓄積記録されて家庭用テレビで閲覧可能に構成されているので、簡単な操作で情報を閲覧することができる。
【発明を実施するための最良の形態】
【０００９】
本発明に係る情報閲覧システムの実施の形態の一例について、図面を参照しながら説明する。
情報閲覧システムは、図１に示されるように、各種情報を管理して発信する情報発信センター１０と、インターネット２０を介して前記情報発信センター１０で管理される各種情報からユーザーが選択した選択情報を一定時間毎に入手し自動的に記録する情報提供装置３０と、この情報提供装置３０に接続され情報提供装置から得た選択情報を表示する家庭用テレビ４０とを有して構成されている。
【００１０】
情報発信センター１０は、インターネット２０を介して情報を発信できる機能を有するサーバーであり、情報記録部１１、情報入力部１２、ユーザー管理部１３、情報提供者管理部１４、及びこれらの各部からの情報を処理する情報処理部１５を備えて構成されている。
ユーザー管理部１３では、情報提供装置３０からインターネット２０を介してアクセスするユーザーの管理を行う情報が格納され、ユーザーの認証を行う情報や、ユーザー毎にユーザーがどの種の情報の入手を希望しているのか等の情報が記録されている。
【００１１】
情報提供者管理部１４では、自身のパソコン等からインターネット２０を介して情報発信センター１０にアクセスする情報提供者２５の管理を行う情報が格納され、情報発信センターから情報収集の権限を委託された情報提供者２５の認証を行う情報が記録されている。
情報記録部１１には、各種情報がカテゴリー毎に記録されている。また、各種情報は、新たな情報があり次第、情報入力部１２からオペレーターの入力操作により更新するようになっている。また、情報提供者２５がインターネット２０経由で発信された情報によっても更新するようになっている。
【００１２】
情報提供装置３０は、インターネット２０に接続可能な回線２１と、家庭用テレビ４０へ画像及び音声信号を出力可能な出力線２２をそれぞれ有して、情報発信センター１０から情報を入手する情報入手処理手段３１と、情報発信センター１０から発信される情報を格納する情報記録部３２とを有している。情報提供装置３０はインターネット２０に常時接続状態となっており、また、情報記録部３２からは、蓄積記録されている情報が出力線２２を介して家庭用テレビ４０側へ常時出力されている。
家庭用テレビ４０への出力線２２は、外部入力に接続する場合には、画像（ビデオ信号）及び音声信号が別々に配線された２本の信号線（ステレオの場合は左右の信号線を含む３本）で形成されている。
また、情報入手処理手段３１には情報提供装置３０の電源オン時にインターネット２０に接続するためのソフトが格納されている。
【００１３】
また、家庭用テレビ４０の空チャンネルを使用する場合には、図２に示すように、情報提供装置３０と家庭用テレビ４０との間にＲＦコンバーター４５を介在させ、出力線２２を同軸ケーブルで構成する。ＲＦコンバーター４５は情報提供装置３０からの信号を室外アンテナ４６で受信する信号に合わせるように変換するもので、室外アンテナ４６からの受信信号に合成されて出力線２２（同軸ケーブル）に出力される。また、ＲＦコンバーター４５においては、情報提供装置３０からの信号が家庭用テレビのどの空チャンネルを選択使用するかの設定も行う。
【００１４】
情報入手処理手段３１では、インターネット２０を介して情報発信センター１０（情報供給元）より供給可能な各種情報の中からユーザーが必要な選択情報を事前に選択し、設定された一定時間毎にインターネット２０に自動的に接続して情報供給元より前記選択情報に関する新情報を入手するようになっている。情報記録部３２では、入手された選択情報をカテゴリー毎に順次蓄積することで更新して記録するようになっている。
【００１５】
情報提供装置３０の前面には赤外線入射窓３５が設けられ、リモコン５０からの赤外線信号を受信して各種操作が可能なように構成されている。
【００１６】
家庭用テレビ４０は、通常の家庭で使用されている一般的なテレビであり、外部入力端子を使用する場合には前記出力線２２を接続しておく。なお、テレビ側の空チャンネルを使用する場合には、室外アンテナ４６からの同軸ケーブルが接続されるアンテナ端子に接続しておく。
【００１７】
上記のように構成することにより、家庭用テレビ４０側で外部入力画面（同軸ケーブ（出力線２２）により情報提供装置３０を家庭用テレビ４０に接続した場合には選択された空チャンネル）を選択すれば、情報提供装置３０の情報記録部３２に記録されている映像及び音声がテレビの画面部４１上で閲覧することが可能となる。
【００１８】
次に、上述した情報閲覧システムの流れについて説明する。
先ず、家庭用テレビ４０に情報提供装置３０が接続された状態で、情報提供装置３０の電源をオンするとインターネット２０に接続するためのソフトが立ち上がり、インターネット２０に常時接続される接続状態となるとともに、家庭用テレビ４０の画面を外部入力画面（若しくは空チャンネル）に合わせることでインターネット２０からの情報が情報提供装置３０の情報記録部３２より出力線２２を介して常時出力されて家庭用テレビ４０側で閲覧できる初期状態となる。
初期状態の画面６１においては、図３に示すように、基本情報と選択情報を各種情報の中から選択して決定する。選択及び決定は、図１に示したリモコン５０の上下左右のキー５１，３２，５３，５４と決定キー５５とで行われる。基本情報を決定した場合には、以後の情報提供装置３０の起動時には図４に示した基本情報を表示する画面６２で立ち上がるようになる。
【００１９】
各種情報には、例えば、地域内のイベント案内などを知らせる地域情報、組合等の団体からの情報を知らせる団体情報、周辺の交通情報を知らせる交通情報、周辺の学校行事の情報を知らせる学校情報、周辺の病院からの情報を知らせる病院情報、個人宛のメール等の情報を知らせる個人情報が存在している。
【００２０】
地域情報、団体情報、交通情報、学校情報及び病院情報は、情報発信センター１０において、新たな情報があり次第、情報入力部１２からオペレーターの入力操作により入力されるものである。個人情報は、一般の個人が情報提供装置３０のユーザー宛に情報管理センター１０へ送信された情報である。情報発信センター１０においては、ユーザー毎にメールアドレスを設定し、外部からこのメールアドレスへ発信された情報を個人情報として情報記録部１１に記録しておき、ユーザー側からの要求があった場合に、情報提供装置３０に送信するようになっている。
【００２１】
また、情報提供者２５からの提供があった場合には、情報発信センター１０の情報提供者管理部１４で情報提供者２５の認証を行い、新しい情報への更新を行う。
情報入力部１２から入力された情報、情報提供者から発信された情報は、一定時間毎に情報管理センター１０から情報提供装置３０に送信されて情報記録部３２に記録され、この情報記録部３２より家庭用テレビ４０で閲覧可能となっている。
【００２２】
情報提供装置３０を立ち上げた状態では家庭用テレビ４０の画面６２では、基本情報がスクロール若しくはページ切替することで表示される。また、過去の情報については、画面上に表示されているカーソルをリモコンの上下左右ボタンを操作することで移動させ、過去分を表示する窓６３で決定キーを押すことで、過去の情報を表示させるようになっている。
情報記録部３２における記憶容量は有限であるので、順次蓄積された情報については、ユーザーの操作により消去できるようにしてもよいし、また一定の期間経過後に自動的に消滅させるようにしてもよい。
【００２３】
また、他のカテゴリーの情報を閲覧する場合には、画面下方に表示されたメニュー帯６４の各情報窓若しくはインデックス窓６５にカーソルを移動させて決定キーを操作することで他の情報を表示させることができる。
インデックス窓を選択した場合には、図５に示すように、各種情報をより詳細に説明した画面６６が表示され、文字部分にカーソルを位置させて決定キーを操作することで、各情報画面を表示させることができる。
【００２４】
上述の情報閲覧システムによれば、パーソナルコンピュータの操作やインターネットの接続に関する操作知識がなくとも、画面を外部入力や空チャンネルに合わせるという通常の家庭用テレビ４０を観る要領で情報発信センター１０からの情報を閲覧することができる。
【００２５】
また、上記構成では、情報提供装置３０の情報からの音声は、家庭用テレビ４０のスピーカーから出るようにしたが、情報提供装置本体にスピーカーを設けることにより、情報提供装置３０を定期連絡用若しくは緊急連絡用として使用することが可能となる。
例えば、音声情報を添付したメールを情報提供装置３０が受信することで、受信した段階で音声情報が再生される（例えば、音声情報を添付ファイルとし、受信時に添付ファイルを開く）ようなソフトをインストールしておけば、受信時に情報提供装置３０のスピーカーから音声を再生することができ、定期連絡用若しくは緊急連絡用に適したツールとすることができる。
【図面の簡単な説明】
【００２６】
【図１】本発明の情報閲覧システムを示す模式説明図である。
【図２】家庭用テレビへの接続の他の例を示す模式説明図である。
【図３】家庭用テレビの画面に表示される初期画面の説明図である。
【図４】家庭用テレビの画面に表示される基本情報画面の説明図である。
【図５】家庭用テレビの画面に表示される各種情報画面の説明図である。
【符号の説明】
【００２７】
１０  情報発信センター
１１  情報記録部
１２  情報入力部
１３  ユーザー管理部
１４  情報提供者管理部
１５  情報処理部
２０  インターネット
２５  情報提供者
３０  情報提供装置
３１  情報入手処理手段
３２  情報記録部
４０  家庭用テレビ
４１  画面部
５０  リモコン
【図１】
2006115093.tif 000003
【図２】
2006115093.tif 000004
【図３】
2006115093.tif 000005
【図４】
2006115093.tif 000006
【図５】
2006115093.tif 000007